(57)【要約】【課題】開封が容易で、放射状の折り目がなく、見栄えをよくすることが可能な固形石鹸包装体を提供すること。【解決手段】この発明の固形石鹸包装体は、非通気性フィルム１と通気性フィルム２との間に固形石鹸３を配置し、真空脱気し、固形石鹸３の周囲にイージーオープン性を有する非通気性フィルム１と通気性フィルム２との接合部４を形成し、さらに、通気性フィルム２に非通気性シール材５を接着して固形石鹸３を密封状態にしたものとしている。【選択図】  図１
2008308179.tif 000002
【特許請求の範囲】
【請求項１】
非通気性フィルム（１）と通気性フィルム（２）との間に固形石鹸（３）を配置し、真空脱気し、固形石鹸（３）の周囲にイージーオープン性を有する非通気性フィルム（１）と通気性フィルム（２）との接合部（４）を形成し、さらに、通気性フィルム（２）に非通気性シール材（５）を接着して固形石鹸（３）を密封状態にしていることを特徴とする固形石鹸包装体。
【請求項２】
非通気性フィルム（１）と通気性フィルム（２）との接合部（４）の外側に隣接して非通気性フィルム（１）と通気性フィルム（２）とが接合していない箇所（６ａ）を設けた請求項１記載の固形石鹸包装体。
【請求項３】
非通気性フィルム（１）と通気性フィルム（２）との接合部（４）の外周縁に切り込み（６ｂ）を設けた請求項１記載の固形石鹸包装体。
【請求項４】
非通気性フィルム（１）が固形石鹸（３）の形状にあわせて成形されたものであり、通気性フィルム（２）が平面状である請求項１、２又は３記載の固形石鹸包装体。
【発明の詳細な説明】
【技術分野】
【０００１】
この発明は、入浴や洗顔等の際に使用される固形石鹸を包装した固形石鹸包装体に関するものである。
【背景技術】
【０００２】
従来、入浴や洗顔等の際に使用される固形石鹸を包装した固形石鹸包装体として、特許文献１に記載のような、透明フィルムが固形石鹸の底面上で絞られて封止されたものがある。
【０００３】
前記封止は、融着により、あるいは接着剤や粘着テープを用いることにより、透明フィルムが接合されたものとなっているが、このような封止の仕方では、開封する際、融着したフィルムを指で破いたり、粘着テープを剥がしたりしなければならないため、開封に手間がかかるものであった。
【０００４】
また、底面において絞られた透明フィルムの折り目が放射状になり、見栄えが悪く感じられることも多かった。
【特許文献１】特開平１１−３５０６７号公報
【発明の開示】
【発明が解決しようとする課題】
【０００５】
そこで、この発明は、開封が容易で、放射状の折り目がなく見栄えをよくすることが可能な固形石鹸包装体を提供することを課題とする。
【課題を解決するための手段】
【０００６】
前記課題を解決するため、この発明は次のような技術的手段を講じている。
【０００７】
この発明の固形石鹸包装体は、非通気性フィルム１と通気性フィルム２との間に固形石鹸３を配置し、真空脱気し、固形石鹸３の周囲にイージーオープン性を有する非通気性フィルム１と通気性フィルム２との接合部４を形成し、さらに、通気性フィルム２に非通気性シール材５を接着して固形石鹸３を密封状態にしたものとしている。
【０００８】
さらに、非通気性フィルム１と通気性フィルム２との接合部４の外側に隣接して非通気性フィルム１と通気性フィルム２とが接合していない箇所６ａを設けたもの、あるいは、接合部４の外周縁に切り込み６ｂを設けたものとすることができる。
【０００９】
また、非通気性フィルム１が固形石鹸３の形状にあわせて成形されたものであり、通気性フィルム２が平面状であるものとすることができる。
【発明の効果】
【００１０】
この発明の固形石鹸包装体は、上述のような構成を有しており、非通気性フィルム１と通気性フィルム２との接合部４がイージーオープン性を有するため、開封が容易であり、また、非通気性フィルム１と通気性フィルム２との接合により、放射状の折り目を形成する必要がないため、見栄えをよくすることが可能となっている。
【発明を実施するための最良の形態】
【００１１】
以下、この発明の好適な実施形態を、図面を参照して説明する。
【００１２】
図１はこの発明の実施形態の固形石鹸包装体の製造工程の説明図、図２は固形石鹸包装体の斜視図、図３は上面図、図４は底面図である。
【００１３】
この固形石鹸包装体は、非通気性フィルム１と通気性フィルム２との間に固形石鹸３を配置し、真空脱気し、固形石鹸３の周囲にイージーオープン性を有する非通気性フィルム１と通気性フィルム２との接合部４を形成し、さらに、通気性フィルム２に非通気性シール材５を貼り付けて固形石鹸３を密封状態にしたものとしている。
【００１４】
非通気性フィルム１は、イージーピール性とともにヒートシール性を備えたものとしている。例えば、ポリオレフィレンやポリプロピレンを原料とした無延伸共押出多層フィルムとすることができる。具体的には、東セロ株式会社のイージーオープンフィルムであるＴＡＦ（登録商標）６５０Ｃや、ＦＢＳ−７０Ｃ等を用いることができる。番手は３０ないし６０のものを使用するとよい。
【００１５】
通気性フィルム２は、後述の真空脱気部において空気を抜くための孔を形成することにより通気性を付与したフィルムとしている。通気性フィルム２は、イージーピール性とともにヒートシール性を備えたフィルムに、針により複数の孔を形成したものとすることができる。前記フィルムとしては、例えば、非通気性フィルム１と同様に、東セロ株式会社のイージーオープンフィルムであるＴＡＦ（登録商標）６５０Ｃ等を用いることができる。番手は６０のものを使用するとよい。
【００１６】
前記孔は、固形石鹸３の底面の中心付近に数箇所形成すると、真空脱気の際に上側の非通気性フィルム１が均等に引っ張られ、固形石鹸３の形状によくフィットさせることができる。
【００１７】
また、下側に位置するフィルム（この実施形態では通気性フィルム２）を、アルミラミネートフィルムやアルミ蒸着フィルムのような光沢のあるものとし、その光沢面が接合部４において、上側に位置する透明なフィルム（この実施形態では非通気性フィルム１）を透過して見えるようにすることにより、この固形石鹸包装体をより見栄えのする高級感のあるものとすることができる。具体的には、下側に位置するフィルムを、上からＴＡＦ（登録商標）６５０Ｃ（番手３０）、アルミニウム層（７μ）、二軸延伸ポリプロプレンフィルム（番手３０）を積層したもの、上側に位置するフィルムを、上から未延伸ポリプロピレンフィルム（番手６０）、ポリプロピレンフィルム（番手２０）、ＴＡＦ（登録商標）６５０Ｃ（番手３０）を積層したものとするとよい。
【００１８】
さらに、前記光沢のあるフィルムにエンボス加工を施したものとすれば、より豪華な印象を与えることができる。
【００１９】
非通気性シール材５は、前記通気性フィルム２に接着させるフィルムないしシート状のものであり、接着はヒートシールや接着剤等により行うことができる。非通気性シール材５は、例えば、ＰＥＴ樹脂製で裏側面に粘着材を塗布したシールラベルとすることができる。また、露出する表側面は、印刷可能なものとし、商品名や品質表示等を付したものとするとよい。
【００２０】
非通気性フィルム１と通気性フィルム２とをヒートシールした接合部４は、イージーオープン性を有しており、非通気性フィルム１と通気性フィルム２とを容易に指で分離することができる。
【００２１】
前記接合部４のイージーオープン性は、多層フィルムとした非通気性フィルム１又は通気性フィルム２の層間で剥離できるようにした層間剥離、異種の合成樹脂製とすることにより非通気性フィルム１と通気性フィルム２を互いの界面（接合面）で剥離できるようにした界面剥離、非通気性フィルム１及び通気性フィルム２の互いの接合面の層が破壊されることにより剥離できるようにした凝集剥離のいずれを利用したものであってもよい。
【００２２】
また、この固形石鹸包装体は、前記接合部４の外側に隣接して非通気性フィルム１と通気性フィルム２とが接合していない箇所６ａを設けたものとしており、この箇所６ａの自由端となった非通気性フィルム１を摘みとして、指でつまんで引っ張ることにより、前記接合部４の非通気性フィルム１を通気性フィルム２から引き剥がすことが極めて容易となっている。
【００２３】
あるいは、前記箇所６ａの代わりに、図５に示したように、接合部４の外周縁に切り込み６ｂを設けたものとすることもできる。切り込み６ｂは、接合部４の外周縁をＹ字状に切断してできた、図示したような三角形と内側の短い直線状部分から構成されるものや、単なる短い直線状のもの（図示せず）とすることができる。切り込み６ｂで接合部４を引き裂いていくと、両フィルム１，２が接合部４の内周にそって裂け、底側に固形石鹸３の底面大の孔が開くので、固形石鹸３を容易に取り出すことが可能となる。
【００２４】
前記接合していない箇所６ａや切り込み６ｂは、固形石鹸包装体の細くなった端部、あるいは固形石鹸包装体が四角形等の多角形状である場合は、その角部に形成するとよい。また、前記箇所６ａは、外側に突出した形状とすれば、さらに開封が容易となる。
【００２５】
次に、この固形石鹸包装体の製造装置及び製造工程について説明する。
【００２６】
図１に示したように、この固形石鹸包装体の製造装置は、非通気性フィルム供給部７、通気性フィルム供給部８、非通気性シール材供給部９、真空包装部１０、切断部１１を備えている。非通気性フィルム供給部７、通気性フィルム供給部８、非通気性シール材供給部９において、各フィルム１，２、シール材５は、それぞれロール状に巻かれたものとしている。
【００２７】
固形石鹸３は、複数個を１組として、図中左から右方向へ、コンベヤ等で搬送され、通気性フィルム供給部８から供給される通気性フィルム２の上に載せられた状態で、その上方から非通気性フィルム供給部７から供給される非通気性フィルム１が下降させられる。
【００２８】
１組の固形石鹸３は、上側の非通気性フィルム１、下側の通気性フィルム２で挟まれた状態となり、続いて、真空包装部１０において真空脱気、及び非通気性フィルム１と通気性フィルム２とのヒートシールが行われる。真空包装部１０は、多数の吸気孔を有する真空引台盤、真空モーター、及びヒーターを備え（図示せず）、スキンパックを行うようにしたものであり、例えばスピーマー株式会社製の真空包装機「スピーマー２８００−Ｈ型」のような装置を利用することができる。
【００２９】
真空脱気は、前記真空引台盤上に下側の通気性フィルム２が接し、その上に固形石鹸３が配置された状態で、下降させた上側の非通気性フィルム１を通気性フィルム２及び固形石鹸３に被せ、そして、下側の通気性フィルム２から非通気性フィルム１と通気性フィルム２との間の空気を、真空モーターにより前記真空引台盤の吸気孔を通して吸引することにより行われる。
【００３０】
この際、下側の通気性フィルム２は平面状のままで、上側の非通気性フィルム１は固形石鹸３の形状にあわせて成形される。非通気性フィルム１は、ヒーターにより加熱されて柔軟になっており、固形石鹸３の形状にそって密着するようになっている。
【００３１】
さらに、各固形石鹸３間の部分の非通気性フィルム１と通気性フィルム２は、ヒーターの加熱によりヒートシールされ、接着した状態になる。
【００３２】
前記摘みを形成するための非通気性フィルム１と通気性フィルム２とが接合していない箇所６ａは、非通気性フィルム１又は通気性フィルム２の当該箇所６ａに対応する部分を、剥離剤でコーティングないし印刷加工したもの等、ヒートシール性を有しないものとしたり、あるいは、ヒートシールされる温度にまで加熱されないようにしたりすることにより形成することができる。
【００３３】
真空包装部１０においてヒートシールが行われると、非通気性シール材供給部９から供給される非通気性シール材５が、下方から通気性フィルム２に接着され、固形石鹸３が密封状態となる。
【００３４】
そして、切断部１１において、上下動する切断刃１１ａと、これを受ける受け刃１１ｂによって、ヒートシールにより接合された非通気性フィルム１と通気性フィルム２が切断され、１個ずつ真空包装された状態の固形石鹸包装体が完成する。
【００３５】
前記切断部１１での切断により、接合された非通気性フィルム１と通気性フィルム２は、固形石鹸３の外周形状を一回り大きくしたような形状（図示したものにおいては楕円形）に打ち抜かれたようになるようにしている。切断後に残ったフィルムは、上方に巻き取って処分するとよい。
【００３６】
なお、図１では、１組の固形石鹸３は、５個が１列に並んだ態様として各工程を進むようにした場合を示しているが、固形石鹸３を複数列に配列してもよく、また各列の個数も任意である。例えば、１組の固形石鹸３を、５個の列、４個の列、５個の列、４個の列、５個の列を並列した構成とし、隣接する列同士の各固形石鹸３を千鳥状にずれた位置に配置したものとすることができる。この場合は、合計２３個を１組として固形石鹸包装体を製造することが可能となる。
【００３７】
また、前記真空包装部１０における真空脱気及び非通気性フィルム１と通気性フィルム２とのヒートシールの後に、このヒートシールされたものを上下反転させて、上側に通気性フィルム２、下側に非通気性フィルム１が位置するようにし、さらに、上方に設けた非通気性シール材供給部９から非通気性シール材５が供給され、上方から非通気性シール材５を通気性フィルム２に接着させるようにしてもよい。
【００３８】
以上がこの発明の好適な実施形態であるが、この発明は上述の実施形態の構成に限定されるものではなく、素材、形状、寸法等を適宜変更して実施することができる。
【図面の簡単な説明】
【００３９】
【図１】この発明の実施形態の固形石鹸包装体の製造工程の説明図である。
【図２】この発明の実施形態の固形石鹸包装体の斜視図である。
【図３】この発明の実施形態の固形石鹸包装体の上面図である。
【図４】この発明の実施形態の固形石鹸包装体の底面図である。
【図５】この発明の他の実施形態の固形石鹸包装体の斜視図である。
【符号の説明】
【００４０】
１  非通気性フィルム
２  通気性フィルム
３  固形石鹸
４  接合部
５  非通気性シール材
６ａ  接合していない箇所
６ｂ  切り込み
【図１】
2008308179.tif 000003
【図２】
2008308179.tif 000004
【図３】
2008308179.tif 000005
【図４】
2008308179.tif 000006
【図５】
2008308179.tif 000007